(57)【要約】  ファスナーエレメントの噛合性を維持しつつ、開き具の蝶棒をスライダーに挿入しやすくすることができるスライドファスナー用スライダーを提供する。上翼板（２１）の案内柱（２３）を挟んだ幅方向両側の少なくとも一方に、切欠き領域（４０）が形成され、切欠き領域（４０）は、案内柱（２３）よりも幅方向外側に延出し前後方向に沿って配置される側縁部（４１）と、側縁部（４１）の後端から幅方向外側に向けて延びる前縁部（４２）と、から形成され、下翼板（２２）は、側縁部（４１）よりも幅方向外側且つ前縁部（４２）よりも前側に位置する載置部（２２ａ）を有する。
2019092801.tif 000002
【特許請求の範囲】
【請求項１】
上下方向に離間して対向配置される上翼板（２１）及び下翼板（２２）と、前記上翼板（２１）及び前記下翼板（２２）を前端側において連結する案内柱（２３）と、を有するスライダー胴体（２０）と、前記スライダー胴体（２０）に取り付けられる引手（１１）と、を備えるスライドファスナー用スライダー（１０）であって、
前記上翼板（２１）の前記案内柱（２３）を挟んだ幅方向両側の少なくとも一方に、切欠き領域（４０）が形成され、
前記切欠き領域（４０）は、前記案内柱（２３）よりも幅方向外側に延出し前後方向に沿って配置される側縁部（４１）と、前記側縁部（４１）の後端から幅方向外側に向けて延びる前縁部（４２）と、から形成され、
前記下翼板（２２）は、前記側縁部（４１）よりも幅方向外側且つ前記前縁部（４２）よりも前側に位置する載置部（２２ａ）を有することを特徴とするスライドファスナー用スライダー（１０）。
【請求項２】
前記側縁部（４１）の上方に、前記引手（１１）を前記スライダー胴体（２０）に取り付ける引手取付部（２５）が設けられることを特徴とする請求項１に記載のスライドファスナー用スライダー（１０）。
【請求項３】
前記引手取付部（２５）は、前記上翼板（２１）上の幅方向中央に設けられることを特徴とする請求項２に記載のスライドファスナー用スライダー（１０）。
【請求項４】
前記切欠き領域（４０）は、前記案内柱（２３）を挟んだ幅方向両側に形成されることを特徴とする請求項１〜３のいずれか１項に記載のスライドファスナー用スライダー（１０）。
【請求項５】
前記スライダー胴体（２０）は、前記上翼板（２１）及び前記下翼板（２２）の少なくとも一方の幅方向両側縁に沿って設けられるフランジ（２４ａ，２４ｂ）を備え、
前記案内柱（２３）は、前方側に位置する連結部（３１）と、後方側に位置しファスナーエレメントを案内するエレメント案内部（３２）と、を有し、
前記エレメント案内部（３２）は、その幅寸法が前記連結部（３１）の後端から後方に向かうに従って漸次小さくなる形状に形成され、
前記側縁部（４１）と前記前縁部（４２）との第１境界位置（Ａ）は、前記連結部（３１）と前記エレメント案内部（３２）との第２境界位置（Ｂ）よりも前方、且つ前記案内柱（２３）の前端よりも後方に配置され、
前記前縁部（４２）は、前記第１境界位置（Ａ）から前記フランジ（２４ａ，２４ｂ）の前端に向けて形成されることを特徴とする請求項１〜４のいずれか１項に記載のスライドファスナー用スライダー（１０）。
【請求項６】
前記側縁部（４１）と前記前縁部（４２）の下面により、一続きのエレメント案内領域（４３）が形成されることを特徴とする請求項１〜５のいずれか１項に記載のスライドファスナー用スライダー（１０）。
【発明の詳細な説明】
【技術分野】
【０００１】
この発明は、スライドファスナー用スライダーに関する。
【背景技術】
【０００２】
従来のスライドファスナー用スライダーとして、スライダー胴体が、上翼板及び下翼板と、上翼板及び下翼板を前端部において連結する案内柱と、を有し、上翼板の前端部の両側に切欠き部を形成して、開き具の蝶棒をスライダーに挿入しやすくするものが知られている（例えば、特許文献１参照）。【０００３】
また、他の従来のスライドファスナー用スライダーとして、スライダー胴体の下翼板と案内柱を上翼板よりも前方に延出させて、開き具の蝶棒をスライダーに挿入しやすくするものが知られている（例えば、特許文献２参照）。
【先行技術文献】
【特許文献】
【０００４】
【特許文献１】日本国実開昭５２−０００３０２号公報
【特許文献２】日本国特開２０１６−２０９５０４号公報
【発明の概要】
【発明が解決しようとする課題】
【０００５】
ところで、上記した特許文献１に記載のスライダーでは、スライダー摺動時にファスナーエレメントを下翼板のみで案内し、上翼板で案内しないため、ファスナーエレメントの噛合性が低くなり、ファスナーエレメントを噛合させることが困難であった。【０００６】
また、上記した特許文献２に記載のスライダーでは、下翼板と案内柱を上翼板よりも前方に延出させるため、スライダーが大型化すると共に、デザイン性が低下してしまっていた。また、スライダーをスライドファスナーを完全に閉じる状態まで移動させた場合、延出させた下翼板と案内柱が着用者に接触する不具合があった。【０００７】
本発明は、前述した事情に鑑みてなされたものであり、その目的は、ファスナーエレメントの噛合性を維持しつつ、開き具の蝶棒をスライダーに挿入しやすくすることができるスライドファスナー用スライダーを提供することにある。
【課題を解決するための手段】
【０００８】
本発明の上記目的は、下記の構成により達成される。
（１）上下方向に離間して対向配置される上翼板及び下翼板と、上翼板及び下翼板を前端側において連結する案内柱と、を有するスライダー胴体と、スライダー胴体に取り付けられる引手と、を備えるスライドファスナー用スライダーであって、上翼板の案内柱を挟んだ幅方向両側の少なくとも一方に、切欠き領域が形成され、切欠き領域は、案内柱よりも幅方向外側に延出し前後方向に沿って配置される側縁部と、側縁部の後端から幅方向外側に向けて延びる前縁部と、から形成され、下翼板は、側縁部よりも幅方向外側且つ前縁部よりも前側に位置する載置部を有することを特徴とするスライドファスナー用スライダー。
（２）側縁部の上方に、引手をスライダー胴体に取り付ける引手取付部が設けられることを特徴とする（１）に記載のスライドファスナー用スライダー。
（３）引手取付部は、上翼板上の幅方向中央に設けられることを特徴とする（２）に記載のスライドファスナー用スライダー。
（４）切欠き領域は、案内柱を挟んだ幅方向両側に形成されることを特徴とする（１）〜（３）のいずれか１つに記載のスライドファスナー用スライダー。
（５）スライダー胴体は、上翼板及び下翼板の少なくとも一方の幅方向両側縁に沿って設けられるフランジを備え、案内柱は、前方側に位置する連結部と、後方側に位置しファスナーエレメントを案内するエレメント案内部と、を有し、エレメント案内部は、その幅寸法が連結部の後端から後方に向かうに従って漸次小さくなる形状に形成され、側縁部と前縁部との第１境界位置は、連結部とエレメント案内部との第２境界位置よりも前方、且つ案内柱の前端よりも後方に配置され、前縁部は、第１境界位置からフランジの前端に向けて形成されることを特徴とする（１）〜（４）のいずれか１つに記載のスライドファスナー用スライダー。
（６）側縁部と前縁部の下面により、一続きのエレメント案内領域が形成されることを特徴とする（１）〜（５）のいずれか１つに記載のスライドファスナー用スライダー。
【発明の効果】
【０００９】
本発明によれば、上翼板の案内柱を挟んだ幅方向両側の少なくとも一方に切欠き領域が形成され、切欠き領域が、案内柱よりも幅方向外側に延出し前後方向に沿って配置される側縁部と、側縁部の後端から幅方向外側に向けて延びる前縁部と、から形成され、下翼板が、側縁部よりも幅方向外側且つ前縁部よりも前側に位置する載置部を有するため、ファスナーエレメントの噛合性を維持しつつ、開き具の蝶棒をスライダーに挿入しやすくすることができる。
【図面の簡単な説明】
【００１０】
【図１】本発明に係るスライドファスナー用スライダーの一実施形態を説明する斜視図である。
【図２】図１に示すスライダーの上面図である。
【図３】図１に示すスライダーの左側面図である。
【図４】図２のＡ−Ａ線断面図である。
【図５】図２の左側の切欠き領域の周辺の拡大上面図である。
【図６】図２のＢ−Ｂ線断面図である。
【図７】スライダーに蝶棒を挿入する状態を説明する斜視図である。
【発明を実施するための形態】
【００１１】
以下、本発明に係るスライドファスナー用スライダーの一実施形態について、図面に基づいて詳細に説明する。なお、以後の説明において、上側とは図２の紙面に対して手前側、下側とは図２の紙面に対して奥側、前側とは図２の紙面に対して上側、後側とは図２の紙面に対して下側、左側とは図２の紙面に対して左側、右側とは図２の紙面に対して右側とする。また、左右方向は幅方向とも言う。また、前後方向は長さ方向とも言う。
【００１２】
本実施形態のスライドファスナー用スライダー１０（以下、単に「スライダー１０」とも言う）は、図１〜図４に示すように、自動停止機能付きスライダーであって、スライダー胴体２０、引手１１、及びロック部材５０を備える。なお、スライダー１０は、本実施形態では自動停止機能付きのスライダーであるが、自動停止機能のないスライダーであってもよい。また、図１、図２、図５〜図７では、図面の理解を容易にするため、引手１１の記載を省略している。
【００１３】
スライダー胴体２０は、図１〜図４に示すように、上下方向に離間して対向配置される上翼板２１及び下翼板２２と、上翼板２１及び下翼板２２を前端部において連結する案内柱２３と、上翼板２１の幅方向の左右両側縁に沿って下方に向けて突設されるフランジ２４ａと、下翼板２２の左右両側縁に沿って上方に向けて突設されるフランジ２４ｂと、上翼板２１上の前端部に立設され、ロック部材５０が取り付けられる前側取付部２５と、上翼板２１上の後端部に立設され、ロック部材５０が取り付けられる後側取付部２６と、を備える。前側取付部２５と後側取付部２６は、引手１１をスライダー胴体２０に取り付ける引手取付部を構成する。これにより、スライダー胴体２０の前部には案内柱２３により分離された左右の肩口２７が形成され、スライダー胴体２０の後部には後口２８が形成される。そして、上翼板２１と下翼板２２との間には、左右の肩口２７と後口２８とを連通する略Ｙ字状のエレメント案内路２９が形成され、このエレメント案内路２９は、不図示のファスナーエレメントを挿通させる通路を構成する。また、スライダー胴体２０は、金属製又は合成樹脂製である。
【００１４】
ロック部材５０は、ステンレス鋼などの断面矩形状の線材を所定長さに切断して、折り曲げ加工を施すことにより形成されている。そして、ロック部材５０は、図４に示すように、線材が略Ｕ字状に折り曲げられることにより形成される上片５１及び下片５２と、下片５２の後端部から下方に延びる停止爪５３と、を有する。
【００１５】
前側取付部２５及び後側取付部２６は、図２及び図４に示すように、ロック部材５０を収容する収容溝２５ａ，２６ａをそれぞれ有し、この収容溝２５ａ，２６ａは、左右の側壁２５ｂ，２６ｂをそれぞれ有する。そして、前側取付部２５及び後側取付部２６の収容溝２５ａ，２５ａにロック部材５０を収容して、左右の側壁２５ｂ，２６ｂの上端部を互いに接近する方向にかしめることにより、ロック部材５０の上片５１が前側取付部２５及び後側取付部２６に固定される。また、上翼板２１には、ロック部材５０の停止爪５３を挿入するための爪穴２１ａが上下方向に貫通するように形成されている。
【００１６】
引手１１は、図３及び図４に示すように、スライダー胴体２０の前側取付部２５と後側取付部２６との間に配置されるリンク軸１１ａと、リンク軸１１ａから延びる板状の把持部１１ｂと、を有する。前側及び後側取付部２５，２６は引手１１をスライダー胴体２０に取り付けるものであって、ロック部材５０が前側及び後側取付部２５，２６に取り付けられることにより、引手１１のリンク軸１１ａの上にロック部材５０の下片５２が配置されるため、引手１１がスライダー胴体２０に取り付けられる。
【００１７】
そして、図１〜図３に示すように、上翼板２１の案内柱２３を挟んだ幅方向両側に、切欠き領域４０が形成されている。切欠き領域４０は、図５及び図６に示すように、案内柱２３よりも幅方向外側に延出し前後方向に沿って配置される側縁部４１と、側縁部４１の後端から幅方向外側に向けて延びる前縁部４２と、から形成されている。これにより、上翼板２１の切欠き領域４０が形成される側の前端縁は、下翼板２２の前端縁よりも後方に位置する。また、側縁部４１の上方には、引手１１をスライダー胴体２０に取り付けるための引手取付部である前側取付部２５が設けられる。左右の側縁部４１の幅寸法は、前側取付部２５の幅寸法とほぼ同じである。引手取付部である前側及び後側取付部２５，２６は、上翼板２１上の幅方向中央に設けられる。これらの構成により、引手１１をスライダー胴体２０に取り付ける領域を確保しつつ、できるだけ大きな切欠き領域４０を形成し、開き具の蝶棒Ｐをスライダー１０に挿入しやすくすることができる。
【００１８】
このため、下翼板２２は、側縁部４１よりも幅方向外側且つ前縁部４２よりも前側に位置する載置部２２ａを有する。この載置部２２ａは、図７に示すように、開き具の蝶棒Ｐをスライダー１０に挿入する際のガイドとして機能する。これにより、開き具の蝶棒Ｐをスライダー１０に挿入しやすくすることができる。
【００１９】
また、図５に示すように、案内柱２３は、前方側に位置する連結部３１と、後方側に位置し不図示のファスナーエレメントをスライダーの内部へ案内するエレメント案内部３２と、を有する。連結部３１は、前端側の側面が円弧形状に形成され、後端側の側面が平面状に形成されている。エレメント案内部３２は、その幅寸法が連結部３１の後端から後方に向かうに従って漸次小さくなる円弧形状に形成されている。
【００２０】
そして、本実施形態では、側縁部４１と前縁部４２との第１境界位置Ａは、連結部３１とエレメント案内部３２との第２境界位置Ｂよりも前方、且つ案内柱２３の前端よりも後方に配置されている。側縁部４１は案内柱２３よりも幅方向外側に延出し前後方向に沿って直線状に配置される部分であり、前縁部４２は側縁部４１の後端から幅方向外側に向けて曲線状に延びる部分である。第１境界位置Ａは、前縁部４２の前端縁の曲線状の部分と側縁部４１の側端縁の直線状の部分とが切り替わる位置でもある。また、第２境界位置Ｂは、案内柱２３の側面の平面状の部分と円弧形状の部分とが切り替わる位置でもある。
【００２１】
また、前縁部４２は、第１境界位置Ａからフランジ２４ａの前端に向けて斜めに形成されている。換言すると、前縁部４２は、第１境界位置Ａから幅方向外側且つ後側に向けて斜めに形成されている。さらに、前縁部４２の外縁は、角部を形成しないために、略Ｓ字状の滑らかなカーブを描くように形成されている。
【００２２】
エレメント案内部３２は、ファスナーエレメントをスライダーの内部に案内し、左右のファスナーエレメントを噛合させるガイドになる部分であり、ファスナーエレメントを正しい姿勢で噛合させるために、第２境界位置Ｂよりも後方では、上翼板２１と下翼板２２の両方でファスナーエレメントを案内することが好ましい。
【００２３】
このように構成されたスライダー１０では、側縁部４１と前縁部４２の下面により、案内柱２３の前端からフランジ２４ａの前端に向けて延びる一続きの湾曲したエレメント案内領域４３が形成されている（図５参照）。このため、スライダー摺動時において、ファスナーエレメントを上翼板２１と下翼板２２の両方で案内するため、ファスナーエレメントの噛合性を通常のスライダーと同レベルに維持することができる。なお、この場合の通常のスライダーとは、上翼板に切欠き領域が形成されないスライダーである。
【００２４】
以上説明したように、本実施形態のスライドファスナー用スライダー１０によれば、上翼板２１の案内柱２３を挟んだ幅方向両側に切欠き領域４０が形成され、切欠き領域４０が、案内柱２３よりも幅方向外側に延出し前後方向に沿って配置される側縁部４１と、側縁部４１の後端から幅方向外側に向けて延びる前縁部４２と、から形成され、下翼板２２が、側縁部４１よりも幅方向外側且つ前縁部４２よりも前側に位置する載置部２２ａを有するため、ファスナーエレメントの噛合性を維持しつつ、開き具の蝶棒Ｐをスライダー１０に挿入しやすくすることができる。
【００２５】
また、本実施形態のスライドファスナー用スライダー１０によれば、エレメント案内部３２が、その幅寸法が連結部３１の後端から後方に向かうに従って漸次小さくなる円弧形状に形成され、側縁部４１と前縁部４２との第１境界位置Ａが、連結部３１とエレメント案内部３２との第２境界位置Ｂよりも前方、且つ案内柱２３の前端よりも後方に配置され、前縁部４２が、第１境界位置Ａからフランジ２４ａの前端に向けて斜めに形成されるため、スライダー摺動時におけるファスナーエレメントの姿勢を安定化して、ファスナーエレメントの噛合性を更に維持することができる。
【００２６】
なお、本発明は上記実施形態に例示したものに限定されるものではなく、本発明の要旨を逸脱しない範囲において適宜変更可能である。
例えば、上記実施形態では、上翼板の案内柱を挟んだ幅方向両側に切欠き領域を形成しているが、これに限定されず、開き具の蝶棒が挿入される左側の切欠き領域のみを形成してもよい。これは、蝶棒を左側の肩口に挿入するタイプのスライダーの場合である。従って、蝶棒を右側の肩口に挿入するタイプのスライダーの場合、右側の切欠き領域のみを形成してもよい。
また、上記実施形態では、本発明をロック部材を有する自動停止機能付きスライダーに適用する場合を例示したが、これに限定されず、ロック部材を有さない自由スライダーに本発明を適用してもよい。この場合、引手は、側縁部の上方に設けられる引手取付柱（引手取付部）に取り付けられる。
【符号の説明】
【００２７】
１０    スライドファスナー用スライダー
１１    引手
２０    スライダー胴体
２１    上翼板
２２    下翼板
２２ａ  載置部
２３    案内柱
２４ａ  フランジ
２４ｂ  フランジ
２５    前側取付部（引手取付部）
２６    後側取付部（引手取付部）
２７    肩口
２８    後口
２９    エレメント案内路
３１    連結部
３２    エレメント案内部
４０    切欠き領域
４１    側縁部
４２    前縁部
４３    エレメント案内領域
５０    ロック部材
Ａ      第１境界位置
Ｂ      第２境界位置
Ｐ      蝶棒
【図１】
2019092801.tif 000003
【図２】
2019092801.tif 000004
【図３】
2019092801.tif 000005
【図４】
2019092801.tif 000006
【図５】
2019092801.tif 000007
【図６】
2019092801.tif 000008
【図７】
2019092801.tif 000009
【国際調査報告】
2019092801.tif 000010
2019092801.tif 000011